(57)【要約】【課題】展示会等で割り当てられた狭いスペースでも素早く組み立てて自立設置できて、掲示する大判ポスター（掲示物）を高く掲示し、不要時には小さく収納して携行できるポスタースタンドを提供する。【解決手段】垂直方向に接続自在な複数の中継ぎ支柱１・・・と、前記中継ぎ支柱１を下部で支持するベース体２と、前記中継ぎ支柱１の上部で水平方向に接続自在な吊下げ棒３とで成るスタンドであって、組立て時には、複数の前記中継ぎ支柱１・・・が垂直方向に接続されて所望高さの支柱Ｓに形成され、高い位置で吊下げ棒３にポスター類の掲示物Ｐが掲示自在であり、収納時には、複数の前記中継ぎ支柱１・・・が個々に分離されてコンパクト収納自在に構成されている。【選択図】    図２
0003167310.tif 000002
【実用新案登録請求の範囲】
【請求項１】
垂直方向に接続自在な複数の中継ぎ支柱と、前記中継ぎ支柱を下部で支持するベース体と、前記中継ぎ支柱の上部で水平方向に接続自在な吊下げ棒とで成るスタンドであって、組立て時には、複数の前記中継ぎ支柱が垂直方向に接続されて所望高さの支柱に形成され、高い位置で吊下げ棒にポスター類の掲示物が掲示自在であり、収納時には、複数の前記中継ぎ支柱が個々に分離されてコンパクト収納自在に構成されていることを特徴とするポスタースタンド。
【請求項２】
中継ぎ支柱は所定の長さに形成され、その上端と下端にはそれぞれボルトとナットが形成され、隣接する中継ぎ支柱同士は螺合されて所望高さの支柱に組立て自在であることを特徴とする請求項１に記載したポスタースタンド。
【請求項３】
中継ぎ支柱の全さは、２０〜５０ｃｍに形成されていることを特徴とする請求項１又は２に記載したポスタースタンド。
【請求項４】
外管と内管が重合して伸縮するテレスコピック機構によって所望の高さに組立て自在な支柱と、前記支柱を下部で支持するベース体と、前記支柱の上部で水平方向に接続自在な吊下げ棒とで成るスタンドであって、組立て時には、所望高さの支柱の高い位置で吊下げ棒にポスター類の掲示物が掲示自在であり、収納時には、前記支柱がテレスコピック機構によってコンパクト収納自在に構成されていることを特徴とするポスタースタンド。
【請求項５】
吊下げ棒に、掲示物を着脱自在な上部クリップが設置されており、掲示物の上端が前記吊下げ棒の上部クリップに挟まれて高い位置で当該掲示物が掲示自在に構成されていることを特徴とする請求項１又は４に記載したポスタースタンド。
【請求項６】
吊下げ棒は、左側吊下げ棒と右側吊下げ棒の左右一組で形成され、当該左右の各吊下げ棒に上部クリップが一つずつ設置され、且つ左右の吊下げ棒の基端にボルトが各々形成されていると共に、支柱上端の左右には左側ナットと右側ナットが各々形成されており、前記左側吊下げ棒のボルトが左側ナットに螺合自在で、右側吊下げ棒のボルトが右側ナットに螺合自在に構成されていることを特徴とする請求項１又は４又は５に記載したポスタースタンド。
【請求項７】
吊下げ棒によって吊下げられた掲示物の下端位置には、前記掲示物の下端を挟む下部クリップが設置された重り用棒が着脱自在に構成されていることを特徴とする請求項１又は４又は５又は６に記載したポスタースタンド。
【考案の詳細な説明】
【技術分野】
【０００１】
本考案は、展示会等で使用する大判ポスター等の掲示物を高く掲示し、不使用時にはコンパクト収納して携行するポスタースタンドの技術分野に属するものである。
【背景技術】
【０００２】
各種展示会では人で混雑するため、自らの展示物を広告宣伝するために大判のポスターが使用されるが、この大判ポスターを素早く、しかも高く掲示する必要がある。
【０００３】
このような掲示物を掲示するスタンドとして、例えば、実開平４−４８５６６号公報に記載の催事案内スタンドがある。
【０００４】
当該実開平４−４８５６６号公報には、四隅部に高さ調節用のアジャスターが取付けられたベース板と、このベース板に下端部が固定された一対の支柱および該一対の支柱の上部および下部寄りの部位を接続する上部バー部材および下部バー部材とからなるフレームと、このフレームの前面側に固定された透明材あるいは反透明材製の前面表示パネルと、前記フレームの一対の支柱間を覆うことができかつ一方の支柱に回動可能に取付けられた前面および背面に催事案内ポスター等を取付けることのできるインナーパネルと、このインナーパネルを覆うように前記フレームの一方の支柱あるいは前記インナーパネルの一方の端部に回動可能に取付けられた透明材あるいは反透明材製の後面表示パネルと、この後面表示パネルの開放端部を開閉可能に係止する前記フレームに取付けられた係止金具とからなることを特徴とする催事案内スタンドが開示されている（実用新案登録請求の範囲１参照）。
【先行技術文献】
【特許文献】
【０００５】
【特許文献１】実開平４−４８５６６号公開公報
【考案の概要】
【考案が解決しようとする課題】
【０００６】
前記文献１の載置室内スタンドの場合、前面と後面とにポスターを表示でき、該ポスターが脱落したり汚れるのを防止する利点はある。しかし、フレームや前後の表示パネル、インナーパネルといった部品による大掛かりで頑丈な製品である。そのため、かかる製品を持ち運ぶことは到底不可能である。しかも、案内掲示が必要な現場で、簡便に組み立てられるものでもない。
【０００７】
したがって、本考案の目的は、展示会等で割り当てられた狭いスペースでも素早く組み立てて自立設置できて、掲示する大判ポスター等の掲示物を高く掲示し、不要時には小さく収納して携行できるコンパクトサイズで使い勝手に優れたポスタースタンドを提供することにある。
【課題を解決するための手段】
【０００８】
上記課題を解決するための手段として、請求項１記載の考案のポスタースタンドは、垂直方向に接続自在な複数の中継ぎ支柱１・・・と、前記中継ぎ支柱１を下部で支持するベース体２と、前記中継ぎ支柱１の上部で水平方向に接続自在な吊下げ棒３とで成るスタンドであって、組立て時には、複数の前記中継ぎ支柱１・・・が垂直方向に接続されて所望高さの支柱Ｓに形成され、高い位置で吊下げ棒３にポスター類の掲示物Ｐが掲示自在であり、収納時には、複数の前記中継ぎ支柱１・・・が個々に分離されてコンパクト収納自在に構成されていることを特徴とする。
【０００９】
請求項２記載の考案は、前記中継ぎ支柱１が所定の長さに形成され、その上端１０と下端１２にはそれぞれボルト１１とナット１３が形成され、隣接する中継ぎ支柱１、１同士は螺合されて所望高さの支柱Ｓに組立て自在であることを特徴とする。
【００１０】
請求項３記載の考案は、前記中継ぎ支柱１の長さが２０〜５０ｃｍに形成されていることを特徴とする。
【００１１】
請求項４載の考案のポスタースタンドは、外管と内管が重合して伸縮するテレスコピック機構によって所望の高さに組立て自在な支柱Ｓ’と、前記支柱Ｓ’を下部で支持するベース体２と、前記支柱Ｓ’の上部で水平方向に接続自在な吊下げ棒３とで成るスタンドであって、組立て時には、所望高さの支柱Ｓ’の高い位置で吊下げ棒３にポスター類の掲示物Ｐが掲示自在であり、収納時には、前記支柱Ｓ’がテレスコピック機構によってコンパクト収納自在に構成されていることを特徴とする。
【００１２】
請求項５記載の考案は、前記吊下げ棒３に、掲示物Ｐを着脱自在な上部クリップ４が設置されており、掲示物Ｐの上端Ｐ１が前記吊下げ棒３の上部クリップ４に挟まれて高い位置で当該掲示物Ｐが掲示自在に構成されていることを特徴とする。
【００１３】
請求項６記載の考案は、前記吊下げ棒３が、左側吊下げ棒３Ａと右側吊下げ棒３Ｂの左右一組で形成され、当該左右の各吊下げ棒３Ａ、３Ｂに上部クリップ４が一つずつ設置され、且つ左右の吊下げ棒３Ａ、３Ｂの基端にボルト３０、３１が各々形成されていると共に、支柱Ｓ、Ｓ’の上端には左側ナット７と右側ナット８が各々形成されており、前記左側吊下げ棒３Ａのボルト３０が左側ナット７に螺合自在で、右側吊下げ棒３Ｂのボルト３１が右側ナット８に螺合自在に構成されていることを特徴とする。
【００１４】
請求項７記載の考案は、前記吊下げ棒３によって吊下げられた掲示物Ｐの下端位置に、前記掲示物Ｐの下端Ｐ２を挟む下部クリップ５が設置された水平配置の重り用棒６が着脱自在に構成されていることを特徴とする。
【考案の効果】
【００１５】
本考案のポスタースタンドは、垂直方向に接続自在な複数の中継ぎ支柱と、前記中継ぎ支柱を下部で支持するベース体と、前記中継ぎ支柱の上部で水平方向に接続自在な吊下げ棒とで成るから（請求項１）、かかるコンパクトサイズで小さく収納して楽に携行することができる。
【００１６】
携行して所望の場所に到着し、例えば展示会等で割り当てられた狭いスペースでも、複数の前記中継ぎ支柱を垂直方向に楽に順次接続して所望高さの支柱を素早く組み立てて、大判ポスター等の掲示物を高く掲示できて便利である。
【００１７】
収納時には、複数の前記中継ぎ支柱、ベース体、吊下げ棒が個々に分離されてコンパクトに収納でき、楽に持ち帰ることができる。
【００１８】
また、中継ぎ支柱が所定の長さに形成され、その上端と下端にはそれぞれボルトとナットが形成されているので（請求項２）、隣接する中継ぎ支柱同士は螺合するだけで接続でき、所望本数を接続して所望高さの支柱を簡単に組立てる施工自在性に優れている。
【００１９】
請求項３の考案のように、中継ぎ支柱の全長を例えば全長４０ｃｍで実施した場合、５本の中継ぎ支柱を上下に接続すれば、２ｍの支柱Ｓになるという計算が現場で楽にできる。設置現場の状況に応じ、中継ぎ支柱の本数を増減するときも３０ｃｍや４０ｃｍという分りやすい全長で実施すれば、所望長さの支柱Ｓに要する中継ぎ支柱の本数計算を簡単に行うことができる。
【００２０】
分解時には、４０ｃｍの支柱が収まる普通のカバンで収納携行できるコンパクト設計である。
【００２１】
なお、上記の中継ぎ支柱を複数本使用する代りに、外管と内管が重合して伸縮するテレスコピック機構によって所望の高さに組立て自在な支柱でも実施でき（請求項４）、その場合上下方向に伸縮するだけで、所望高さの支柱を形成できて便利である。
【００２２】
さらに、吊下げ棒に掲示物を着脱自在な上部クリップが予め設置されているので、ポスター（掲示物）の上端をこの上部クリップに挟むだけで、ポスターを高い位置で簡単かつ確実に掲示することができる（請求項５）。
【００２３】
加えて、吊下げ棒が左側吊下げ棒と右側吊下げ棒の左右一組で形成され、当該左右の各吊下げ棒に上部クリップが一つずつ設置され、基端にボルトが各々形成されているので（請求項６）、前記左右の吊下げ棒のボルトを、支柱上端の左右のナットに螺合するだけで、吊下げ棒を支柱に着脱自在な利便性がある。
【００２４】
なお、吊下げ棒によって吊下げられた掲示物の下端位置に、重り用棒の下部クリップを挟むことにより（請求項７）、この重り用棒が重しとなってポスターの揺動が防止される。
【考案を実施するための最良の形態】
【００２５】
本考案に係るポスタースタンドの好適な実施形態を、図面にしたがって説明する。
【００２６】
図１は、本実施形態のポスタースタンドを組み立てた状態を示している。複数の中継ぎ支柱１・・・が垂直方向に接続されて、所望高さの支柱Ｓに形成され、高い位置で吊下げ棒３にポスター類の掲示物Ｐが掲示自在となっている（図２参照）。
【００２７】
図３に示した中継ぎ支柱１は、ステンレス製でφ＝１６ｍｍの丸棒で全長４０ｃｍに形成されている。但し、当該中継ぎ支柱１の形状や材質はこの限りでなく、各種の金属製や合成樹脂製で形成してもよい。長さもこの限りでなく、例えば２０ｃｍや３０ｃｍ、５０ｃｍ等の形態も好適に実施される。この中継ぎ支柱１の上端１０はボルト１１に形成され、その下端１２は丸ナット１３に形成されている。
【００２８】
かくして、当該中継ぎ支柱１の上端ボルト１１に対し、上方から順次異なる中継ぎ支柱１の下端ナット１３を螺合自在であり、所望数の中継ぎ支柱１・・・をつぎつぎと上方に接続して、所望高さの支柱Ｓを簡単に組み立てることができる。図１の場合、５本の中継ぎ支柱１・・・が相互に接続された結果、高さが２ｍの支柱Ｓが組み立てられている。
【００２９】
ただし、最上部の中継ぎ支柱１の場合、その上端１０の左右には左側ナット７と右側ナット８が各々形成されている（図４）。下記する吊下げ棒３を接続して掲示物Ｐを吊り下げるためである。
【００３０】
図５は吊下げ棒３について示している。吊下げ棒３は前記中継ぎ支柱１の上部で水平方向に接続自在に構成されている。この吊下げ棒３は、左側吊下げ棒３Ａと右側吊下げ棒３Ｂの左右一組で形成されている。同図５Ａが左側吊下げ棒３Ａ、図５Ｂが右側吊下げ棒３Ｂを示している。
【００３１】
本実施形態の左右の吊下げ棒３Ａ、３Ｂは、共にステンレス製で、それぞれφ＝６ｍｍの丸棒により全長３５ｃｍ位に形成されているが、形状・材質・長さ共にこれに限定されない。また、左右の吊下げ棒３Ａ、３Ｂの基端にボルト３０、３１が各々形成されている。したがって、この左側吊下げ棒３Ａのボルト３０が上記支柱Ｓの上端の左側ナット７に螺合自在で、右側吊下げ棒３Ｂのボルト３１が支柱Ｓの右側ナット８に螺合自在となっている。
【００３２】
そして、各吊下げ棒３Ａ、３Ｂには、その下方で掲示物Ｐを挟持可能な上部クリップ４が一つずつ設置されている。掲示物Ｐの上端Ｐ１をこの左右の吊下げ棒３Ａ、３Ｂの合計２つの上部クリップ４、４で挟んで当該掲示物Ｐを高い位置で掲示するためである。図２に示したように、Ｂ１判用紙のポスター（掲示物Ｐ）を縦吊りすることができる。このクリップ４は、通常ボルト３０、３１側とは反対側の端部近くに配置されるが、掲示物Ｐの大きさ（幅寸）に応じて所望位置にスライド移動自在となっている。
【００３３】
図６は重り用棒６について示している。この重り用棒６は、一本のステンレス製の丸棒によりφ＝６ｍｍの全長４０ｃｍ位に形成されているが、形状・材質・長さ共にこれに限定されない。
【００３４】
当該重り用棒６には上向きの下部クリップ５が２つ設置されている。下部クリップ５はスライド移動自在である。吊下げ棒３によって吊下げられた掲示物Ｐの下端位置に当該重り用棒６は水平に配置され、その下部クリップ５、５により前記掲示物Ｐの下端Ｐ２を挟むことにより適度な重しとなり、掲示物Ｐがパタパタと不意に揺動することを効果的に防止するものである。
【００３５】
図７〜図９に示したベース体２について説明する。
【００３６】
ベース体２は、鉄製で薄い板状に形成された上下２枚のプレート板体２Ａ、２Ｂで構成されている。図８に示した上側プレート板体２Ａは、厚さが３ｍｍ、幅が２５ｍｍ、全長が４０ｃｍで細長く形成されている。その中央はやや突設して上下に貫通した貫通孔２０が形成されている。下側プレート板体２Ｂを下側に配置したとき安定状態を保つためである。図９に示した下側プレート板体２Ｂも同様に、厚さが３ｍｍ、幅が２５ｍｍ、全長が４０ｃｍで細長く形成されている。その中央にはボルト２１が上向きに設置されている。
【００３７】
したがって、図７に示したように、当該下側プレート板体２Ｂのボルト２１が上側プレート板体２Ａの貫通孔２０に下から突き出る配置で、上下２枚のプレート板体２Ａ、２Ｂが重合され、全体的に十字状にクロスした配置でベース板が組み立てられるようになっている。当該２枚のプレート板体２Ａ、２Ｂは薄く形成されているので、その上を足で踏むことがあっても引っ掛からず、転倒が防止される。
【００３８】
なお、上述した中継ぎ支柱１の接続によって形成された支柱Ｓを、図１０と図１１に示したような外管と内管が重合して伸縮するテレスコピック機構によって所望の高さに組立て自在な支柱Ｓ’の形態で同様に実施することもできる。
【００３９】
すなわち、最下部の外管９Ａの下端１２にナット１３が形成されていると共に、最上部の内管９Ｂの上端１０の左右には左側ナット７と右側ナット８が各々形成されており、そこに上記した左右の吊下げ棒３Ａ、３Ｂのボルト３０、３１がそれぞれ螺合自在となっている。
【００４０】
以下に、当該ポスタースタンドの組み立て方法について説明する。
【００４１】
ベース体２の上下２枚のプレート板体２Ａ、２Ｂを中央で交差させて十字状に配置し、下側プレート板体２Ｂのボルト２１を上向きに突き出させる。
【００４２】
つづいて、中継ぎ支柱１の下端のナット１３を前記下側プレート板体２Ｂのボルト２１にネジ込んで起立させる。次に、異なる中継ぎ支柱１の下端のナット１３を、前記最初に起立させた中継ぎ支柱１の上端のボルト１１にネジ込む。同様に、異なる中継ぎ支柱１の下端のナット１３を、直下の中継ぎ支柱１の上端のボルト１１にネジ込む。この作業を所望の高さの支柱Ｓとなるまで繰り返して行う。なお、テレスコピック機構の支柱を使用する場合は、所望の高さ位置に伸長させるだけで所望長さの支柱Ｓ’を形成することができる。
【００４３】
引きつづき、支柱Ｓ（Ｓ’）の上端の左側ナット７に左側吊下げ棒３Ａのボルト３０をネジ込み、右側ナット８に右側吊下げ棒３Ｂのボルト３１をネジ込む。後は、ポスター等の掲示物Ｐの上端Ｐ１を上部クリップ４、４に挟むだけで、大判ポスター類の掲示物Ｐが高く掲示される。
【００４４】
通常は、このようにして掲示した掲示物Ｐの下端Ｐ２に、重り用棒６のクリップ５、５を挟んで重しとして安定させる。
【００４５】
収納するには、前記の逆手順を行えば簡単に各部品が分離して小さくでき、袋やバッグに入れて携行することができる。
【図面の簡単な説明】
【００４６】
【図１】組み立てた状態のポスタースタンドを示した全体図である。
【００４７】
【図２】ポスターの掲示状態を示した正面図である。
【００４８】
【図３】Ａは中継ぎ支柱を示した全体図、Ｂは中継ぎ支柱の内部構造を示した全体図と底面図である。
【００４９】
【図４】最上部の中継ぎ支柱を示した全体図である。
【００５０】
【図５】Ａ、Ｂは左側吊下げ棒と右側吊下げ棒を示した全体図である。
【００５１】
【図６】重り用棒を示した全体図である。
【００５２】
【図７】ベース板の組み立て状態を示した斜視図である。
【００５３】
【図８】Ａ、Ｂは上側プレート板体の平面図と正面図である。
【００５４】
【図９】Ａ、Ｂは下側プレート板体の正面図と平面図である。
【００５５】
【図１０】テレスコピック機構の支柱の収縮状態を示した全体図である。
【００５６】
【図１１】テレスコピック機構の支柱の伸長状態を示した全体図である。
【符号の説明】
【００５７】
Ｓ、Ｓ’  支柱
Ｐ      掲示物
Ｐ１    上端
Ｐ２    下端
１      中継ぎ支柱
１０    上端
１１    ボルト
１２    下端
１３    ナット
２      ベース体２
３      吊下げ棒３
３Ａ    左側吊下げ棒
３０    ボルト
３Ｂ    右側吊下げ棒
３１    ボルト
４      上部クリップ
５      下部クリップ      
６      重り用棒
７      左側ナット
８      右側ナット
【図３】
0003167310.tif 000003
【図４】
0003167310.tif 000004
【図８】
0003167310.tif 000005
【図９】
0003167310.tif 000006
【図１０】
0003167310.tif 000007
【図１１】
0003167310.tif 000008
【図１】
0003167310.tif 000009
【図２】
0003167310.tif 000010
【図５】
0003167310.tif 000011
【図６】
0003167310.tif 000012
【図７】
0003167310.tif 000013